(57)【要約】【課題】操作スティックからキャップが抜けることを防止することのできるスティック式入力デバイスの構造等を提供すること。【解決手段】スティック式入力デバイスは、本体部に取り付けられ、柱状の操作スティックを備え、センサにより当該操作スティックの操作内容が検知される。上記スティック式入力デバイスのキャップを本体部に取り付ける取り付け構造において、上記キャップは、キャップは、前記操作スティックの上端部を取り囲むように取り付けられ、前記本体部からの取り外しに対して抵抗するように保持される。【選択図】図２
2014112303.tif 000002
【特許請求の範囲】
【請求項１】
本体部に取り付けられ、柱状の操作スティックを備え、センサにより当該操作スティックの操作内容が検知されるスティック式入力デバイスのキャップの取り付け構造であって、
前記キャップは、前記操作スティックの上端部を取り囲むように取り付けられ、前記本体部からの取り外しに対して抵抗するように保持される、取り付け構造。
【請求項２】
前記キャップは、弾性体から成る、請求項１に記載の取り付け構造。
【請求項３】
前記本体部は、当該本体部に前記キャップの一部を係止する係止部を有する、請求項１または２に記載の取り付け構造。
【請求項４】
前記係止部および前記キャップの一部のいずれか一方は、他方に向けて突出するボス部を有し、
前記他方には、前記ボス部を固定するための固定部が形成される、請求項３に記載の取り付け構造。
【請求項５】
前記固定部は、前記ボス部が挿通するための挿通孔が形成される、請求項４に記載の取り付け構造。
【請求項６】
前記挿通孔は、前記ボス部が挿通されてもなお空隙を有し、
前記キャップの一部は、前記ボス部が前記挿通孔に挿通されることにより、前記本体部に対して可動に係止される、請求項５に記載の取り付け構造。
【請求項７】
前記キャップは、当該キャップの一部が前記本体部内に埋め込まれることにより、当該本体部からの取り外しに対して抵抗するように保持される、請求項１または２に記載の取り付け構造。
【請求項８】
前記操作スティックの軸方向から正面視した場合に、前記キャップの一部と前記本体部とが重なるように、当該キャップの一部が前記本体部内に埋め込まれる、請求項７に記載の取り付け構造。
【請求項９】
前記キャップの一部が、前記操作スティックの軸方向と略直交する方向に延在していることにより、前記本体部内に埋め込まれる、請求項７または８に記載の取り付け構造。
【請求項１０】
前記本体部は、前記スティック式入力デバイスが配設される基底部と、当該基底部との間に空隙を設けて当該基底部と連結される上面部とを有し、
前記キャップの一部は、当該キャップの一部が前記空隙に埋め込まれることで、前記本体部に対して埋め込まれる、請求項７ないし９のいずれかに記載の取り付け構造。
【請求項１１】
前記キャップは、前記操作スティックの上端部に外嵌状に取り付けられる周面部と、当該周面部の上端側の開口を閉塞する天面部と、当該周面部の下端側の開口部の外周縁から外方へ張り出されたフランジとを有し、
前記キャップの一部は、前記フランジである、請求項１０に記載の取り付け構造。
【請求項１２】
前記キャップは、前記操作スティックの上端部に外嵌状に取り付けられる周面部と、当該周面部の上端側の開口を閉塞する天面部と、当該周面部の下端側の開口部の一部から当該周面部と略垂直方向に外方へ突出した突出部とを有し、
前記キャップの一部は、前記突出部である、請求項１０に記載の取り付け構造。
【請求項１３】
前記キャップは、前記操作スティックの上端部に外嵌状に取り付けられる周面部と、当該周面部の上端側の開口を閉塞する天面部と、当該周面部の下端側の開口部の外周縁から外方へ張り出されたフランジと、当該フランジの一側部から前記周面部と略垂直方向に外方へ突出した突出部とを有し、
前記キャップの一部は、前記フランジおよび前記突出部である、請求項１０に記載の取り付け構造。
【請求項１４】
前記キャップは、前記本体部に対して、前記スティック式入力デバイスの操作に伴って可動に保持される、請求項１ないし１３のいずれかに記載の取り付け構造。
【請求項１５】
前記キャップは、前記本体部に対して取り外し不能に保持される、請求項１ないし１４のいずれかに記載の取り付け構造。
【請求項１６】
本体部に取り付けられ、柱状の操作スティックを備え、センサにより当該操作スティックの操作内容が検知されるスティック式入力デバイスにおいて、当該操作スティックの上端部を取り囲むように取り付けられるキャップであって、前記本体部からの取り外しに抵抗するために前記操作スティックの軸方向と平行ではない方向に延在する延在部を有する、キャップ。
【請求項１７】
前記延在部は、前記操作スティックの軸方向に略垂直な方向に延在する、請求項１６に記載のキャップ。
【請求項１８】
前記延在部の少なくとも一部は、前記本体部の少なくとも一部に接触する、請求項１６または１７に記載のキャップ。
【請求項１９】
前記キャップの端部に前記延在部を有する、請求項１６ないし１８のいずれかに記載のキャップ。
【請求項２０】
本体部に取り付けられ、柱状の操作スティックを備え、センサにより当該操作スティックの操作内容が検知されるスティック式入力デバイスであって、
前記操作スティックの上端部を取り囲むように取り付けられるキャップは、前記本体部からの取り外しに対して抵抗するように保持される、スティック式入力デバイス。
【請求項２１】
スティック式入力デバイスを備える情報処理端末装置であって、
前記スティック式入力デバイスは、本体部に取り付けられ、柱状の操作スティックを備え、センサにより当該操作スティックの操作内容が検知され、
前記操作スティックの上端部を取り囲むように取り付けられるキャップは、前記本体部からの取り外しに対して抵抗するように保持される、情報処理端末装置。
【請求項２２】
柱状の操作スティックを備え、センサにより当該操作スティックの操作内容が検知されるスティック式入力デバイスを本体部に取り付ける取り付け方法であって、
前記操作スティックの上端部を取り囲むようにキャップを取り付け、
前記キャップを前記本体部からの取り外しに対して抵抗するように保持されるように、前記スティック式入力デバイスを取り付ける、取り付け方法。
【発明の詳細な説明】
【技術分野】
【０００１】
本発明は、スティック式入力デバイスに関するものであり、より特定的には、ポインティングスティックのキャップの取り付け構造等に関するものである。
【背景技術】
【０００２】
従来、スティック式入力デバイスの典型例としてポインティングスティックと呼ばれるものがある。このポインティングスティックは、パーソナルコンピュータなどの情報処理機器等に適用され、表示画面上におけるカーソル等の位置決めや動作を制御するための信号入力装置として用いられる。また、ポインティングスティックの操作スティックには、操作性を良くするために弾性体のキャップが取り付けられていることがある（例えば、特許文献１）。
【先行技術文献】
【特許文献】
【０００３】
【特許文献１】特開２００６−４８４７８号公報
【発明の概要】
【発明が解決しようとする課題】
【０００４】
しかし、特許文献１に記載されているような従来のポインティングスティックにおいては、例えばキャップが摩耗した際に交換できるように、キャップは操作スティックから取り外し可能な構造であった。このため、ポインティングスティックに予期しない操作が加わったり、過度な衝撃が加わったりすることにより、操作スティックからキャップが抜けてしまうという問題があった。
【０００５】
それゆえに、この発明の主たる目的は、操作スティックからキャップが抜けることを防止することのできるスティック式入力デバイスの構造等を提供することである。
【課題を解決するための手段】
【０００６】
上記目的は、例えば以下のような構成により達成される。
【０００７】
本発明に係るスティック式入力デバイスは、本体部に取り付けられ、柱状の操作スティックを備え、センサにより当該操作スティックの操作内容が検知される。このスティック式入力デバイスのキャップの取り付け構造において、キャップは、操作スティックの上端部を取り囲むように取り付けられ、本体部からの取り外しに対して抵抗するように保持される。
【０００８】
上記構成によれば、キャップは本体部からの取り外しに対して抵抗するように保持されるため、キャップが操作スティックから抜けることを防止することができる。
【０００９】
また、キャップは、弾性体から成るものとしてもよい。
【００１０】
上記構成によれば、弾性体のキャップであっても本体部からの取り外しに対して抵抗するように保持されるため、キャップが弾性変形しても操作スティックから抜けることを防止することができる。
【００１１】
また、本体部は、当該本体部にキャップの一部を係止する係止部を有するものとしてもよい。
【００１２】
上記構成によれば、本体部の係止部がキャップの一部を係止するため、キャップが操作スティックから抜けることを防止することができる。
【００１３】
また、係止部およびキャップの一部のいずれか一方は、他方に向けて突出するボス部を有し、他方には、ボス部を固定するための固定部が形成されるものとしてもよい。
【００１４】
上記構成によれば、本体部の係止部およびキャップの一部が、ボス部と固定部のいずれか一方を有し、ボス部と固定部が固定されるため、キャップが操作スティックから抜けることを防止することができる。
【００１５】
また、固定部は、ボス部が挿通するための挿通孔が形成されるものとしてもよい。
【００１６】
上記構成によれば、固定部にボス部が挿通されて両者が固定されるため、キャップが操作スティックから抜けることを防止することができる。
【００１７】
また、挿通孔は、ボス部が挿通されてもなお空隙を有し、キャップの一部は、ボス部が挿通孔に挿通されることにより、本体部に対して可動に係止されるものとしてもよい。
【００１８】
上記構成によれば、キャップは、本体部に対して可動に係止される。このことにより、キャップを介して操作スティックを操作することができるとともに、キャップが操作スティックから抜けることを防止することができる。
【００１９】
また、キャップは、当該キャップの一部が本体部内に埋め込まれることにより、当該本体部からの取り外しに対して抵抗するように保持されるものとしてもよい。
【００２０】
上記構成によれば、キャップの一部が本体部に埋め込まれることにより、キャップは本体部からの取り外しに対して抵抗するように保持される。このことにより、キャップが操作スティックから抜けることを防止することができる。
【００２１】
また、操作スティックの軸方向から正面視した場合に、キャップの一部と本体部とが重なるように、当該キャップの一部が本体部内に埋め込まれるものとしてもよい。
【００２２】
上記構成によれば、キャップの一部と本体部とが重なるようにキャップの一部が本体部内に埋め込まれるため、キャップが操作スティックから抜けることを防止することができる。
【００２３】
また、キャップの一部が、操作スティックの軸方向と略直交する方向に延在していることにより、本体部内に埋め込まれるものとしてもよい。
【００２４】
上記構成によれば、キャップの一部が操作スティックの軸方向と略直交する方向に延在していることにより本体部に埋め込まれるため、キャップが操作スティックから抜けることを防止することができる。
【００２５】
また、本体部は、スティック式入力デバイスが配設される基底部と、当該基底部との間に空隙を設けて当該基底部と連結される上面部とを有し、キャップの一部は、当該キャップの一部が空隙に埋め込まれることで、本体部に対して埋め込まれるものとしてもよい。
【００２６】
上記構成によれば、キャップの一部が本体部の基底部と上面部との間の空隙に埋め込まれることにより、キャップは本体部からの取り外しに対して抵抗するように保持される。このことにより、キャップが操作スティックから抜けることを防止することができる。
【００２７】
また、キャップは、操作スティックの上端部に外嵌状に取り付けられる周面部と、当該周面部の上端側の開口を閉塞する天面部と、当該周面部の下端側の開口部の外周縁から外方へ張り出されたフランジとを有し、キャップの一部は、上記フランジであるものとしてもよい。
【００２８】
上記構成によれば、キャップ下端の開口部の外周縁から外方へ張り出されたフランジが本体部内に埋め込まれることにより、キャップは本体部からの取り外しに対して抵抗するように保持される。このことにより、キャップが操作スティックから抜けることを防止することができる。
【００２９】
また、キャップは、操作スティックの上端部に外嵌状に取り付けられる周面部と、当該周面部の上端側の開口を閉塞する天面部と、当該周面部の下端側の開口部の一部から当該周面部と略垂直方向に外方へ突出した突出部とを有し、キャップの一部は、上記突出部であるものとしてもよい。
【００３０】
上記構成によれば、キャップ下端の開口部の一部から周面部と略垂直方向に外方へ突出した突出部が本体部内に埋め込まれることにより、キャップは本体部からの取り外しに対して抵抗するように保持される。このことにより、キャップが操作スティックから抜けることを防止することができる。
【００３１】
また、キャップは、操作スティックの上端部に外嵌状に取り付けられる周面部と、当該周面部の上端側の開口を閉塞する天面部と、当該周面部の下端側の開口部の外周縁から外方へ張り出されたフランジと、当該フランジの一側部から周面部と略垂直方向に外方へ突出した突出部とを有し、キャップの一部は、上記フランジおよび突出部であるものとしてもよい。
【００３２】
上記構成によれば、キャップ下端の開口部の外周縁から外方へ張り出されたフランジと、フランジの一側部から周面部と略垂直方向に外方へ突出した突出部とが本体部内に埋め込まれることにより、キャップは本体部からの取り外しに対して抵抗するように保持される。このことにより、キャップが操作スティックから抜けることを防止することができる。
【００３３】
また、キャップは、本体部に対して、スティック式入力デバイスの操作に伴って可動に保持されるものとしてもよい。
【００３４】
上記構成によれば、キャップは、本体部に対して可動に保持される。このことにより、キャップを介して操作スティックを操作することができるとともに、キャップが操作スティックから抜けることを防止することができる。
【００３５】
また、キャップは、本体部に対して取り外し不能に保持されるものとしてもよい。
【００３６】
上記構成によれば、キャップは本体部に対して取り外し不能に保持されるため、キャップが操作スティックから抜けることを防止することができる。
【００３７】
また、以上では、スティック式入力デバイスの取り付け構造として本発明を構成する場合について記載したが、本発明は、以下のようなスティック式入力デバイスのキャップとして構成されてもよい。すなわち、本体部に取り付けられ、柱状の操作スティックを備え、センサにより当該操作スティックの操作内容が検知されるスティック式入力デバイスにおいて、本発明に係るキャップは、当該操作スティックの上端部を取り囲むように取り付けられるものとしてもよい。この場合、上記キャップは、本体部からの取り外しに抵抗するために操作スティックの軸方向と平行ではない方向に延在する延在部を有する。
【００３８】
上記構成によれば、キャップは本体部からの取り外しに対して抵抗するために操作スティックの軸方向と平行ではない方向に延在する延在部を有するため、キャップが操作スティックから抜けることを防止することができる。
【００３９】
また、延在部は、操作スティックの軸方向に略垂直な方向に延在するものとしてもよい。
【００４０】
上記構成によれば、キャップは操作スティックの軸方向と略垂直な方向に延在する延在部を有することにより、キャップは本体部からの取り外しに対してより抵抗するため、キャップが操作スティックから抜けることをより防止することができる。
【００４１】
また、延在部の少なくとも一部は、本体部の少なくとも一部に接触するものとしてもよい。
【００４２】
上記構成によれば、延在部が本体部に接触することでキャップは本体部からの取り外しに対して抵抗するため、キャップが操作スティックから抜けることをより防止することができる。
【００４３】
また、キャップの端部に延在部を有するものとしてもよい。
【００４４】
上記構成によれば、キャップがその端部に延在部を有することにより、キャップは本体部からの取り外しに対して抵抗するため、キャップが操作スティックから抜けることをより防止することができる。
【００４５】
以上では、スティック式入力デバイスの取り付け構造、またはスティック式入力デバイスのキャップとして本発明を構成する場合について記載した。しかし、本発明は、スティック式入力デバイス、情報処理端末装置、スティック式入力デバイスの取り付け方法として構成されてもよい。
【発明の効果】
【００４６】
本発明によれば、操作スティックからキャップが抜けることを防止することのできるスティック式入力デバイスの構造等を提供することができる。
【図面の簡単な説明】
【００４７】
【図１】本発明の一実施形態に係るポインティングスティック１の分解斜視図
【図２】本発明の一実施形態に係るポインティングスティック１の断面図
【図３】本発明の一実施形態に係る突出部２４の平面図
【発明を実施するための形態】
【００４８】
図１を参照して、本発明の一実施形態に係るスティック式入力デバイス（以下、ポインティングスティックという）について説明する。図１は、ポインティングスティック１を示す分解斜視図である。なお、図１は、ポインティングスティック１の取り付け構造を情報処理端末装置（典型的には携帯型ゲーム装置）に適用した状態を想定して描いており、図中上側は情報処理端末装置の操作面方向、下側は情報処理端末装置の下面方向として示している。また、以下で説明するポインティングスティック１の構成において、本実施形態を説明するうえで特に関係のない構成についてはその説明を省略、または簡略化している。
【００４９】
ポインティングスティック１は、情報処理端末装置の本体部５（図２参照）に取り付けられ、操作者による入力を受け付ける入力装置として機能する。図１に示すように、ポインティングスティック１は、キャップ２と、操作体３と、センサ基板４とから構成される。
【００５０】
キャップ２は、弾性体によって形成され、略円筒状に形成された周面部２１と、当該周面部２１の上側開口を閉塞する天面部２２と、周面部２１の下端側の開口部の外周縁から外方へ（具体的には、操作体３の軸方向と略垂直方向に）張り出されたフランジ２３（外方へ延在する延在部の一例）と、フランジ２３の一部からさらに外方へ（すなわち、周面部２１と略垂直方向に）突出した板状の突出部２４とが一体に形成されて成る。突出部２４には、後述する本体部５のボス部５４を挿通させるための挿通孔２５が形成され、天面部２２の上面には、操作者の操作を受け付ける被操作部（不図示）が形成される。詳しくは後述するが、フランジ２３および突出部２４が本体部５に埋め込まれることによってキャップ２が本体部５からの取り外しに対して抵抗するように保持される。なお、キャップ２の弾性体としては、摩耗しにくい耐久性の高い素材が選択される。
【００５１】
操作体３は、樹脂または耐熱性セラミック材等によって形成され、基部３１と、当該基部３１上に形成された略円形状の台座部３２と、当該台座部３２に直立して形成された柱状の操作スティック３３が一体に形成されて成る。なお、操作体３は、上記した素材によって形成されることに限られるものではなく、例えば金属と樹脂のインサート部品によって形成されてもよい。
【００５２】
センサ基板４は、撓曲可能な樹脂フィルム等で形成され、その一端には、操作体３の台座部３２の位置に対応するように操作体３の裏面に固定される略円形状の基端部４１が形成される。また、センサ基板４の他端には、コネクタ４２が設けられる。
【００５３】
センサ基板４の基端部４１には、厚膜又は薄膜の抵抗体から成る歪みセンサ４３（４３ａ〜４３ｄ）が形成される。この歪みセンサ４３が形成された基端部４１は、操作スティック３３が形成された操作体３に対して、台座部３２の裏面の位置に接着固定される。このため、操作スティック３３が傾倒されると、操作スティック３３の下部に設けられた歪みセンサ４３には、操作スティック３３が傾倒された方向に圧縮力が作用し、操作スティック３３が傾倒された方向と反対方向には引張力が作用する。そして、歪みセンサ４３に圧縮力が作用するとその抵抗値が下がり、引張力が作用するとその抵抗値が上昇する。また、これらの歪みセンサ４３は、センサ基板４の検出回路（不図示）と接続されており、検出回路は歪みセンサの抵抗の変化を検出して電気信号に変換し、コネクタ４２を介して歪みセンサ４３による検出値がＣＰＵ（不図示）に出力される。したがって、歪みセンサ４３を図１に示すｘ軸の正方向（歪みセンサ４３ａ）と負方向（歪みセンサ４３ｃ）、およびｘ軸に直交するｙ軸の正方向（歪みセンサ４３ｂ）と負方向（歪みセンサ４３ｄ）に配置することにより、操作スティック３３に作用する４方向の押圧力（傾倒の大きさ）の信号を検出することができる。
【００５４】
キャップ２は、センサ基板４が接着固定された操作体３の操作スティック３３の上端部に取り付けられる。具体的には、キャップ２は、円筒状の周面部２１と天面部２２によって形成された四角柱状の空洞部を有し、キャップ２は弾性体によって形成されるため、当該空洞部は弾性変形可能であり、当該空洞部の内径は、操作スティック３３の最小外径よりも小さく形成されている。このため、キャップ２は、その弾性を利用して操作スティック３３に圧入可能であり、圧入されることにより周面部２１が操作スティック３３の上端部に外嵌状に取り付けられ、操作スティック３３と嵌合される。このようにして形成されたポインティングスティック１は、操作者がキャップ２の被操作部（不図示）を操作することにより、操作スティック３３が傾倒し、操作スティック３３の下部に設けられた歪みセンサ４３の歪み量に応じて傾倒の大きさが検知されることで、入力デバイスとして機能する。
【００５５】
次に、上記したポインティングスティック１の本体部５への取り付け構造について、図２、図３を用いて説明する。図２は、本体部５へ取り付けられるポインティングスティック１の図１に示す直線Ａ−Ａ’における断面図であり、図３は、突出部２４の平面図である。
【００５６】
図２に示すように本体部５は、板状の上面部５１と板状の基底部５２とを備える。上面部５１と基底部５２とは、その一部の箇所において連結部５３によって連結され、上面部と基底部との間には空隙が設けられる。なお、上面部５１と基底部５２とは、ビス等によって連結されるものとしてもよく、連結部５３による連結はその一例に過ぎない。また、上面部５１の一部からは、基底部５２に向けて突出する柱状のボス部５４が形成される。このボス部５４は、上面部５１において、挿通孔２５の軸線とボス部５４の軸線とが略一致する位置に設けられる。
【００５７】
ポインティングスティック１は、基底部５２の所定の位置に配設される。そして、上面部５１は、その一部がフランジ２３の直上に位置するように配設される。すなわち、フランジ２３およびフランジ２３から周面部２１と略垂直方向に突出した突出部２４は、上面部５１と基底部５２との間に生じた空隙内に埋め込まれた状態となる。このため、キャップ２に対して操作スティック３３から抜ける方向の力（図２では上向きの力）が加わったとしても、キャップ２のフランジ２３の直上にある上面部５１が、上向きの力が付与されたキャップ２（フランジ２３）に対して接触することにより下向きの力（抗力）を生じさせ、キャップ２が操作スティックから抜けることを防止する。言い換えると、ポインティングスティック１は、その一部（フランジ２３や突出部２４）が、本体部５の内部（空隙）に埋め込まれる。より具体的には、操作体３の軸方向から正面視した場合に、キャップ２の一部（フランジ２３や突出部２４）と本体部５の一部（上面部５１）とが重なるように、キャップ２の一部が埋め込まれる。このことにより、キャップ２が、本体部５からの取り外しに対して抵抗するように保持される。なお、キャップ２は、上面部５１や基底部５２に対して直接固着されているわけではないため、本体部５に対して可動に保持される。このため、キャップ２の被操作部を操作することでキャップ２を介して操作スティック３３を操作することができる。
【００５８】
また、突出部２４の挿通孔２５に、上面部５１から突出したボス部５４が挿通されることにより、突出部２４は、上面部５１に係止される。すなわち、挿通孔２５を有する突出部２４が、ボス部５４を固定するための固定部として機能し、ボス部５４を有する上面部５１が、突出部２４を係止する係止部として機能することにより、キャップ２に対して操作スティック３３から抜ける方向の力（図２では上向きの力）が加わったとしても、キャップ２の突出部２４が、上面部５１に対して係止されることにより、キャップ２が操作スティック３３から抜けることを防止する。すなわち、本実施形態におけるポインティングスティック１は、操作スティック３３に取り付けられるキャップ２の一部（フランジ２３および突出部２４）が本体部５内部に埋め込まれていることに加え、キャップ２の一部（突出部２４）が本体部５（上面部５１）に対して係止される。このことにより、弾性体であるキャップ２が予期せぬ力が加わることで弾性変形しても、キャップ２は本体部５からの取り外しに対して抵抗するように保持される。
【００５９】
次に、図３を用いて突出部２４がボス部５４に係止される構造について説明する。図３に示すように突出部２４には、挿通孔２５が設けられており、挿通孔２５の軸線とボス部５４の軸線とは略一致する。そして、挿通孔２５のｘ軸方向の最大径はｘ１であり、ｙ軸方向の最大径はｙ１であり、ボス部５４のｘ軸方向の最大径はｘ２であり、ｙ軸方向の最大径はｙ２であり、これらの径の大小関係は、ｘ１＞ｘ２、ｙ１＞ｙ２となっている。このため、挿通孔２５は、ボス部５４が挿通されてもなお間隙（図３に示す白抜きの部分）を有する。このことにより、突出部２４は、ボス部５４に対して（したがって、本体部５に対して）係止されるものの、可動するアソビを有する。このため、キャップ２は、本体部５に対して可動に保持される。また、キャップ２を操作することにより、弾性体であるキャップ２が弾性変形することで突出部２４に引張力が加わったとしても、ボス部５４に対して可動するので、突出部２４に過度な力が加わり突出部２４が破損するといったことを防止することができる。なお、図３では、上記した間隙は、一例として、ｙ軸方向のほうがｘ軸方向よりも大きくなるように設計されている。このように設計する場合には、ｙ軸方向を、より操作が行われ易い方向（例えば上下方向や左右方向）に設計することで、突出部２４に、より過度な力が加わらないようにすることができる。
【００６０】
以上説明してきたように、本発明のポインティングスティック１の取り付け構造によれば、キャップ２が本体部５からの取り外しに対して抵抗するように保持される。そして、この結果として、キャップ２が本体部５に対して取り外し不能に保持される。このため、キャップ２が操作スティック３３から抜けることを防止することができる。
【００６１】
なお、上記実施形態は、あくまでも本発明の一実施形態に過ぎず、本発明の範囲を何ら限定するものではない。
【００６２】
また、上記実施形態では、一例として図１に示すポインティングスティック１について説明したが、ポインティングスティック１のキャップ２が本体部５からの取り外しに対して抵抗するように保持されるものであれば、これに限られるものではない。例えば、先行技術文献（特開２００６−４８４７８号公報）に記載されているようなポインティングスティックに本発明が適用されてもよい。
【００６３】
また、上記実施形態では、図１に示すようにキャップ２にはフランジ２３が形成され、フランジ２３の一部から突出部２４が形成されるものとした。しかし、キャップ２にはフランジ２３は形成されず、周面部２１の下端部の一部から突出部２４が形成されるものとしてもよい。このようにしても、突出部２４がボス部５４に係止されることにより、キャップ２が本体部５からの取り外しに対して抵抗するように保持される。
【００６４】
また、上記実施形態では、挿通孔２５を有する突出部２４がボス部５４を固定するための固定部として機能し、ボス部５４を有する上面部５１が、突出部２４を係止する係止部として機能するものとした。しかし、ボス部５４は、キャップ２の突出部２４から上面部５１へ向けて突出し、上面部５１に、当該ボス部５４を固定するための挿通孔２５が形成されるものとしてもよい。
【００６５】
また、上記実施形態では、フランジ２３は、操作体３の軸方向と略垂直方向に外方へ張り出される（延在する）ものとしたが、操作体３の軸方向と平行でない方向であれば略垂直方向に限られるものではない。
【００６６】
また、上記実施形態において説明したキャップ２等の形状は一例に過ぎず、その他の形状によって実現されてもよいことは言うまでもない。
【符号の説明】
【００６７】
１…ポインティングスティック
２…キャップ
３…操作体
４…センサ基板
５…本体部
２１…周面部
２２…天面部
２３…フランジ
２４…突出部
２５…挿通孔
３１…基部
３２…台座部
３３…操作スティック
４１…基端部
４２…コネクタ
５１…上面部
５２…基底部
５３…連結部
５４…ボス部
【図１】
2014112303.tif 000003
【図２】
2014112303.tif 000004
【図３】
2014112303.tif 000005